(57)【特許請求の範囲】
【請求項１】
ベース部と、前記ベース部よりも高い伸長応力を示す強パワー部とを有するスパッツであって、
前記強パワー部は、大臀筋から外側広筋を通って膝蓋骨の上方に至る大腿外側部と、大臀筋から内側広筋を通って膝蓋骨の上方に至る大腿内側部とを有し、前記大腿外側部と前記大腿内側部が大臀筋と膝蓋骨の上方で互いに接続していることを特徴とするスパッツ。
【請求項２】
前記ベース部が、下腹部から大腿直筋の筋腹上部にかけて存在するとともに、大腿二頭筋の筋腹下部および／または半腱様筋の筋腹下部に存在する請求項１に記載のスパッツ。
【請求項３】
前記強パワー部はさらに、膝蓋骨の上方から膝蓋骨を通って膝蓋骨の下方に至る膝覆部を有し、前記膝覆部が膝蓋骨の上方で前記大腿外側部と前記大腿内側部に接続している請求項１または２に記載のスパッツ。
【請求項４】
膝蓋骨の下方の前記強パワー部の肌面側に滑り止め材が設けられる請求項３に記載のスパッツ。
【請求項５】
前記強パワー部はさらに、膝蓋骨の下方から下腿部の外側を通って腓腹筋に至る下腿外側部と、膝蓋骨の下方から下腿部の内側を通って腓腹筋に至る下腿内側部とを有し、前記下腿外側部と前記下腿内側部が膝蓋骨の下方で前記膝覆部に接続し、前記下腿外側部と前記下腿内側部が腓腹筋で互いに接続している請求項３または４に記載のスパッツ。
【請求項６】
前記下腿外側部と前記下腿内側部は腓腹筋の筋腹下部で互いに接続している請求項５に記載のスパッツ。
【請求項７】
腓腹筋の前記強パワー部の肌面側に滑り止め材が設けられる請求項５または６に記載のスパッツ。
【請求項８】
前記強パワー部はさらに、左側の大臀筋から仙骨および／または腰椎を通って右側の大臀筋に至り、左右の脚の強パワー部を繋ぐ臀部接続部を有する請求項１〜７のいずれか一項に記載のスパッツ。
【発明の詳細な説明】
【技術分野】
【０００１】
本発明はスパッツに関するものであり、特に運動用に好適に用いられるスパッツに関するものである。
【背景技術】
【０００２】
従来、部分的に伸長応力や緊締力の高い部分を設け、テーピング機能を持たせたスパッツが知られている。例えば特許文献１には、膝蓋骨から外側広筋に沿って延出し大転子に至る部分と、膝蓋骨から内側広筋に延出する部分と、腓腹筋の下部付近から膝の両側面へ向かう湾曲した部分とに緊締力の大きい緊締部が設けられ、関節付近では緊締部が設けられないスパッツが開示されている。
【先行技術文献】
【特許文献】
【０００３】
【特許文献１】特開２００５−４８３３２号公報
【発明の概要】
【発明が解決しようとする課題】
【０００４】
特許文献１に開示されるスパッツは、緊締部を分割して設けることにより、関節の可動域が確保され、脚の動きやすさが阻害されないようになっている。しかし、特許文献１に開示されるスパッツでは、動作を快適に行うことや疲労軽減を目的に緊締部が設けられており、運動の際の身体パフォーマンスを高める点については考慮されていない。むしろ、緊締部を分割して設けることにより、筋肉や関節の動きに緊締部による負荷が十分かからなくなり、運動の際の身体パフォーマンスの向上はほとんど期待できない。
【０００５】
本発明は前記事情に鑑みてなされたものであり、その目的は、走行の際のパフォーマンスを向上させたり、疲労によるパフォーマンス低下を軽減することができるスパッツを提供することにある。
【課題を解決するための手段】
【０００６】
前記課題を解決することができた本発明のスパッツとは、ベース部と、ベース部よりも高い伸長応力を示す強パワー部とを有するスパッツであって、強パワー部は、大臀筋から外側広筋を通って膝蓋骨の上方に至る大腿外側部と、大臀筋から内側広筋を通って膝蓋骨の上方に至る大腿内側部とを有し、大腿外側部と大腿内側部が大臀筋と膝蓋骨の上方で互いに接続しているところに特徴を有する。このように強パワー部が設けられていれば、大腿外側部と大腿内側部の強パワー部が股関節の伸展をサポートするように作用する。つまり、着用者が股関節を屈曲させると大腿外側部と大腿内側部が引き伸ばされ、その伸長応力により大腿外側部と大腿内側部が股関節を伸展させるように作用し、脚を振り下ろす力や地面を蹴る力が向上するようになる。その結果、走行の際のパフォーマンスを向上させたり、疲労によるパフォーマンス低下（走速度低下）を軽減させることが可能となる。
【０００７】
ベース部は、下腹部から大腿直筋の筋腹上部にかけて存在するとともに、大腿二頭筋の筋腹下部および／または半腱様筋の筋腹下部に存在していることが好ましい。このようにベース部が存在していれば、スパッツを着用した際の圧迫が軽減され、股関節の動きが極力妨げられず、またごわつき感が低減してスパッツの着用感が向上する。
【０００８】
強パワー部はさらに、膝蓋骨の上方から膝蓋骨を通って膝蓋骨の下方に至る膝覆部を有し、膝覆部が膝蓋骨の上方で大腿外側部と大腿内側部に接続していることが好ましい。強パワー部として膝覆部が設けられることにより、膝関節が膝覆部によりサポートされるようになる。その結果、走行の際に膝関節が屈曲して上体が沈み込むのが抑えられ、股関節伸展で生み出された力が効率的に地面に伝わるようになる。また、走行の際の身体の重心の上下動が抑制され、また左右方向への安定性も向上するようになる。
【０００９】
膝蓋骨の下方の強パワー部の肌面側には、滑り止め材が設けられることが好ましい。膝蓋骨の下方に滑り止め材が設けられれば、股関節や膝関節の屈曲や伸展によって大腿外側部や大腿内側部や膝覆部がずれにくくなり、強パワー部によって股関節や膝関節が好適にサポートされるようになる。
【００１０】
強パワー部はさらに、膝蓋骨の下方から下腿部の外側を通って腓腹筋に至る下腿外側部と、膝蓋骨の下方から下腿部の内側を通って腓腹筋に至る下腿内側部とを有し、下腿外側部と下腿内側部が膝蓋骨の下方で膝覆部に接続し、下腿外側部と下腿内側部が腓腹筋で互いに接続していることが好ましい。強パワー部として下腿外側部と下腿内側部が設けられることにより、膝覆部が下腿外側部と下腿内側部に係止されるかたちとなり、膝覆部や大腿外側部や大腿内側部が股関節や膝関節の屈曲や伸展によってずれにくくなる。その結果、膝覆部によって膝関節の伸展がさらに好適にサポートされるようになるとともに、大腿外側部と大腿内側部によって股関節の伸展もさらに好適にサポートされるようになる。
【００１１】
下腿外側部と下腿内側部は腓腹筋の筋腹下部で互いに接続していることが好ましい。このように下腿外側部と下腿内側部が設けられれば、大腿外側部と大腿内側部から下腿外側部と下腿内側部にかけて設けられる強パワー部によって、股関節の伸展が強力にサポートされるようになる。
【００１２】
腓腹筋の強パワー部の肌面側には、滑り止め材が設けられていることが好ましい。腓腹筋に滑り止め材が設けられれば、膝関節の屈曲や伸展によって膝覆部や下腿外側部や下腿内側部がずれにくくなる。従って、強パワー部によって膝関節が好適にサポートされるようになる。
【００１３】
強パワー部はさらに、左側の大臀筋から仙骨および／または腰椎を通って右側の大臀筋に至り、左右の脚の強パワー部を繋ぐ臀部接続部を有することが好ましい。臀部接続部により左右の脚の強パワー部が繋がっていれば、左右の大腿外側部と大腿内側部が臀部接続部に係止されるかたちとなり、大腿外側部と大腿内側部が股関節の屈曲や伸展によってずれにくくなる。その結果、大腿外側部と大腿内側部によって股関節の伸展がさらに好適にサポートされるようになる。
【発明の効果】
【００１４】
本発明のスパッツは、大腿部を周方向に囲んで臀部から膝上に延びるように強パワー部が設けられているため、強パワー部が走行の際の股関節の伸展をサポートする。従って、走行の際に脚を振り下ろす力や地面を蹴る力が向上し、走行の際のパフォーマンスを向上させたり、疲労によるパフォーマンス低下（走速度低下）を軽減させることが可能となる。
【図面の簡単な説明】
【００１５】
【図１】図１（ａ）は第１実施態様に係るスパッツの正面図を表し、図１（ｂ）は図１（ａ）に示したスパッツの背面図を表す。
【図２】図２（ａ）は第２実施態様に係るスパッツの正面図を表し、図２（ｂ）は図２（ａ）に示したスパッツの背面図を表す。
【図３】図３（ａ）は第３実施態様に係るスパッツの正面図を表し、図３（ｂ）は図３（ａ）に示したスパッツの側面図を表し、図３（ｃ）は図３（ａ）に示したスパッツの背面図を表す。
【図４】図４（ａ）は第４実施態様に係るスパッツの正面図を表し、図４（ｂ）は図４（ａ）に示したスパッツの背面図を表す。
【図５】図５（ａ）は第５実施態様に係るスパッツの正面図を表し、図５（ｂ）は図５（ａ）に示したスパッツの側面図を表し、図５（ｃ）は図５（ａ）に示したスパッツの背面図を表す。
【図６】図６（ａ）は第６実施態様に係るスパッツの正面図を表し、図６（ｂ）は図６（ａ）に示したスパッツの側面図を表し、図６（ｃ）は図６（ａ）に示したスパッツの背面図を表す。
【図７】図７（ａ）は第７実施態様に係るスパッツの正面図を表し、図７（ｂ）は図７（ａ）に示したスパッツの側面図を表し、図７（ｃ）は図７（ａ）に示したスパッツの背面図を表す。
【図８】図８（ａ）は第８実施態様に係るスパッツの正面図を表し、図８（ｂ）は図８（ａ）に示したスパッツの側面図を表し、図８（ｃ）は図８（ａ）に示したスパッツの背面図を表す。
【図９】図９（ａ）は第９実施態様に係るスパッツの正面図を表し、図９（ｂ）は図９（ａ）に示したスパッツの側面図を表し、図９（ｃ）は図９（ａ）に示したスパッツの背面図を表す。
【図１０】図１０（ａ）は第１０実施態様に係るスパッツの正面図を表し、図１０（ｂ）は図１０（ａ）に示したスパッツの側面図を表し、図１０（ｃ）は図１０（ａ）に示したスパッツの背面図を表す。
【図１１】図１１（ａ）は滑り止め材が設けられた第８実施態様に係るスパッツの正面図を表し、図１１（ｂ）は図１１（ａ）に示したスパッツの側面図を表し、図１１（ｃ）は図１１（ａ）に示したスパッツの背面図を表す。
【図１２】図１２は本発明のスパッツの各領域（部分）の名称を表し、図１２（ａ）はスパッツの正面図を表し、図１２（ｂ）はスパッツの背面図を表す。
【発明を実施するための形態】
【００１６】
本発明のスパッツは運動用に好適に使用されるものであり、特に走行を伴う運動に好適に使用される。本発明のスパッツは、高い伸長応力を示す強パワー部が部分的に設けられており、この強パワー部が着用者の股関節の伸展をサポートすることにより、走行の際のパフォーマンスを高めたり、疲労によるパフォーマンス低下（走速度低下）を軽減させることができるものである。なお、本発明のスパッツは、走行の際に限らず歩行の際にも疲労によるパフォーマンス低下の軽減が期待できるものである。
【００１７】
走行の際の走速度の低下の原因について、本発明者らが一般ランナーを対象にした実験により検討したところ、疲労してくると股関節伸展の力が低下して脚を振り下ろす力や地面を蹴る力が低下することが明らかになり、これが走速度を低下させる最も大きな原因の一つであることが分かった。具体的には、腿を引き上げてから振り下ろす際に股関節を伸展させる力や、足が地面を蹴る際に股関節を伸展させる力が低下することが、走速度に大きく影響を及ぼすことが明らかになった。さらに、足が接地した際に、接地の衝撃に耐えられずに膝関節が大きく屈曲して上体が沈み込み、身体の重心の上下動が大きくなることも、走速度が低下する原因の一つであることが明らかになった。
【００１８】
上記知見に基づき、本発明のスパッツは、股関節の伸展をサポートするように強パワー部が設けられるところに特徴を有するものである。さらに、本発明のスパッツは、股関節伸展で生み出された力を効率的に地面に伝えるために、膝関節をサポートするように強パワー部がさらに設けられることが好ましい。以下、本発明のスパッツについて図面を参照して詳細に説明する。なお本発明は、図面に示された実施態様に限定されるものではない。
【００１９】
本発明のスパッツは、少なくとも下半身の一部を覆って着用されるものであり、相対的に低い伸長応力を示すベース部と相対的に高い伸長応力を示す強パワー部とを有する。なお本発明では、強パワー部とベース部が配置される箇所を人体の筋肉や骨格等の名称を用いて規定するが、本発明で使用される筋肉や骨格等の名称について、図１２に示したスパッツを用いてまず説明する。
【００２０】
図１２には、本発明のスパッツの各領域（部分）の名称を示した。図１２（ａ）はスパッツの正面図を表し、図１２（ｂ）はスパッツの背面図を表す。図１２において、点線で囲まれた各領域は、スパッツを着用した際に着用者の各筋肉や骨格等と重なる部分を表しており、本発明では、スパッツの各筋肉や骨格等と重なる部分を、単にその筋肉や骨格等の名称で呼ぶ。なお、図１２に示される各領域は目安であり、正確には人体の筋肉や骨格等に基づきスパッツの各領域（部分）が規定される。
【００２１】
図１２に示したスパッツでは、符号２１の領域が大臀筋（すなわち、大臀筋と重なる部分）を表し、符号２２の領域が外側広筋（すなわち、外側広筋と重なる部分）を表し、符号２３の領域が内側広筋（すなわち、内側広筋と重なる部分）を表し、符号２４の領域が大腿直筋（すなわち、大腿直筋と重なる部分）を表し、符号２５の領域が大腿四頭筋腱（すなわち、大腿四頭筋腱と重なる部分）を表し、符号２６の領域が大腿二頭筋および／または半腱様筋（すなわち、大腿二頭筋および／または半腱様筋と重なる部分）を表し、符号２７の領域が仙骨および／または腰椎（すなわち、仙骨および／または腰椎と重なる部分）を表し、符号２８の領域が膝蓋骨（すなわち、膝蓋骨と重なる部分）を表し、符号２９の領域が膝裏（すなわち、膝裏と重なる部分）を表し、符号３０の領域が腓腹筋（すなわち、腓腹筋と重なる部分）を表し、符号３１の領域が脛骨（すなわち、脛骨と重なる部分）を表す。また本発明において、脚の膝より上方を「大腿（部）」、膝より下方を「下腿（部）」と称する。以下の説明では、スパッツの各領域（部分）を表す筋肉や骨格等の名称を、図１２に示した参照符号を付して表す。
【００２２】
第１実施態様に係るスパッツについて、図１を参照して説明する。図１（ａ）は第１実施態様に係るスパッツの正面図を表し、図１（ｂ）は図１（ａ）に示したスパッツの背面図を表す。なお図面では、強パワー部を斜線ハッチングで表しており、強パワー部を構成する各部（例えば、大腿外側部や大腿内側部の境界）を便宜的に点線で区分して表している。
【００２３】
図１は、着用者の腰から膝上までを覆うスパッツ１（１Ａ）を示している。スパッツ１Ａは、ベース部２と、ベース部２よりも高い伸長応力を示す強パワー部３とを有している。強パワー部３は、大臀筋２１から外側広筋２２を通って膝蓋骨２８の上方に至る大腿外側部４と、大臀筋２１から内側広筋２３を通って膝蓋骨２８の上方に至る大腿内側部５とを有し、大腿外側部４と大腿内側部５が大臀筋２１と膝蓋骨２８の上方で互いに接続している。すなわち、大腿外側部４と大腿内側部５は、大腿部を周方向に囲んで臀部から膝上に延びるように設けられている。強パワー部３として大腿外側部４と大腿内側部５がこのように設けられることにより、大腿外側部４と大腿内側部５は、着用者の股関節が屈曲した際に股関節の伸展をサポートするように作用する。つまり、股関節が屈曲すると大腿外側部４と大腿内側部５が引き伸ばされ、その伸長応力（引張応力）により大腿外側部４と大腿内側部５が股関節を伸展させるように作用し、脚を振り下ろす力や地面を蹴る力が向上するようになる。その結果、走行の際のパフォーマンスを向上させたり、疲労によるパフォーマンス低下（走速度低下）を軽減させることが可能となる。
【００２４】
なお、強パワー部３として大腿外側部４と大腿内側部５を設けることにより股関節の屈曲が若干制限され得るが、走行時のパフォーマンスは股関節の屈曲動作によってほとんど影響を受けない。むしろ、上記に説明したように、走行時のパフォーマンスを高めるためには、股関節を伸展させる力を高めることが重要となる。
【００２５】
大腿外側部４と大腿内側部５は大臀筋２１に設けられるが、大腿外側部４と大腿内側部５は大臀筋２１の少なくとも一部と重なるように設けられればよく、好ましくは臀部の頂部を覆うように設けられる。また、大腿外側部４と大腿内側部５は大臀筋２１よりも上方に延在したり、骨盤の側部（例えば、腸骨陵）や腹部に延在していてもよい。
【００２６】
大腿外側部４と大腿内側部５は膝蓋骨２８の上方に設けられるが、具体的には、大腿直筋２４の筋腹下部（筋腹の下半分）および／または大腿四頭筋腱２５に設けられることが好ましい。大腿外側部４と大腿内側部５は、基本的に股関節の動きを極力阻害しないように設けられることが好ましい。
【００２７】
大腿外側部４と大腿内側部５は、大臀筋２１と膝蓋骨２８の上方で互いに接続している。つまり、強パワー部３は、大臀筋２１と膝蓋骨２８の上方において、大腿外側部４から大腿内側部５にかけて連続的に設けられている。このように強パワー部３が大腿外側部４から大腿内側部５にかけて連続的に設けられることにより、強パワー部３が断続的に設けられるのと異なり、強パワー部３の伸長応力が大腿部を周方向に囲むように作用し、強パワー部３による股関節の伸展のサポート効果が好適に発揮されるようになる。
【００２８】
本発明において、強パワー部のある部分（Ｘ部とする）と他の部分（Ｙ部とする）が接続しているとは、Ｘ部とＹ部が直接接続していることを意味し、強パワー部がＸ部からＹ部にかけて連続的に設けられていることを意味する。また、強パワー部を構成する各部では、強パワー部がいずれも連続的に設けられている。つまり、Ｘ部において強パワー部は連続的に設けられ、Ｙ部においても強パワー部は連続的に設けられる。
【００２９】
大腿外側部４は外側広筋２２を斜めに横切るように設けられることが好ましい。すなわち、大腿外側部４は、大腿部の外側を大腿部の後側から前側に下方に向かって延びるように設けられることが好ましい。また、大腿内側部５は内側広筋２３を斜めに横切るように設けられることが好ましい。すなわち、大腿内側部５は、大腿部の内側を大腿部の後側から前側に下方に向かって延びるように設けられることが好ましい。このように大腿外側部４と大腿内側部５が設けられることにより、大腿外側部４と大腿内側部５によって股関節の伸展が好適にサポートされるようになる。
【００３０】
一方、ベース部２は、下腹部から大腿直筋２４の筋腹上部（筋腹の上半分）にかけて存在することが好ましい。ベース部２はまた、大腿二頭筋２６の筋腹下部（筋腹の下半分）および／または半腱様筋２６の筋腹下部（筋腹の下半分）に存在することが好ましい。このようにベース部２が存在していれば、スパッツを着用した際の圧迫が軽減され、股関節の動きが極力妨げられず、またごわつき感が低減してスパッツの着用感が向上する。より好ましくは、ベース部２は、大腿二頭筋２６の筋腹下部および／または半腱様筋２６の筋腹下部から下方に延在する。また、後述するような膝下や足首まで覆うスパッツの場合は、ベース部２は、大腿二頭筋２６の筋腹下部および／または半腱様筋２６の筋腹下部から膝裏２９にかけて存在していることが好ましい。
【００３１】
スパッツ１Ａでは、強パワー部３はさらに、左側の大臀筋２１から仙骨２７および／または腰椎２７を通って右側の大臀筋２１に至り、左右の脚の強パワー部３（すなわち、左右の大腿外側部４および／または大腿内側部５）を繋ぐ臀部接続部６を有する。臀部接続部６により左右の脚の強パワー部３が繋がっていれば、左右の大腿外側部４と大腿内側部５が臀部接続部６に係止されるかたちとなり、大腿外側部４と大腿内側部５が股関節の屈曲や伸展によってずれにくくなる。その結果、大腿外側部４と大腿内側部５によって股関節の伸展がさらに好適にサポートされるようになる。
【００３２】
第２実施態様に係るスパッツについて、図２を参照して説明する。図２（ａ）は第２実施態様に係るスパッツの正面図を表し、図２（ｂ）は図２（ａ）に示したスパッツの背面図を表す。なお、第２実施態様に係るスパッツについて、上記説明と重複する部分の説明は省略する。
【００３３】
図２に示したスパッツ１（１Ｂ）は、着用者の腰から膝下までを覆うものである。スパッツ１Ｂでは、強パワー部３が、大腿外側部４と大腿内側部５と臀部接続部６に加え、膝蓋骨２８の上方から膝蓋骨２８を通って膝蓋骨２８の下方に至る膝覆部７を有している。そして、膝覆部７が膝蓋骨２８の上方で大腿外側部４と大腿内側部５に接続している。強パワー部３として膝覆部７が設けられることにより、膝関節が膝覆部７によりサポートされるようになる。走行時に足が接地した際、膝関節は着地の衝撃を吸収しようと屈曲してしまうが、大腿外側部４と大腿内側部５に接続した膝覆部７は膝関節の伸展をサポートするように作用するため、膝関節が屈曲して上体が必要以上に沈み込むのが抑えられ、股関節の伸展で生み出された力が効率的に地面に伝わるようになる。また膝関節が膝覆部７によりサポートされる結果、走行の際の身体の重心の上下動が抑制され、また左右方向への安定性が向上するようになる。従って、走行の際のパフォーマンスが向上し、走行の際の疲労を軽減させることが可能となる。
【００３４】
膝覆部７は膝蓋骨２８を上下方向に横切るように設けられることが好ましく、脚の前側に設けられることが好ましい。従って、膝覆部７は、膝裏２９や大腿部の後側に延在しないことが好ましい。なお膝覆部７は、後述する下腿外側部８と下腿内側部９と区別するために、下腿部の後側に延在して下腿部を周方向に囲むようには設けられないものとする。
【００３５】
第３実施態様に係るスパッツについて、図３を参照して説明する。図３（ａ）は第３実施態様に係るスパッツの正面図を表し、図３（ｂ）は図３（ａ）に示したスパッツの側面図を表し、図３（ｃ）は図３（ａ）に示したスパッツの背面図を表す。なお、第３実施態様に係るスパッツについて、上記説明と重複する部分の説明は省略する。
【００３６】
図３に示したスパッツ１（１Ｃ）は、着用者の腰から足首までを覆うものである。スパッツ１Ｃでは、強パワー部３が、大腿外側部４と大腿内側部５と臀部接続部６と膝覆部７に加え、膝蓋骨２８の下方から下腿部の前側を脛骨３１に沿って延びる下腿前側部１０を有している。そして、下腿前側部１０は膝蓋骨２８の下方で膝覆部に接続している。強パワー部３として、膝覆部７に接続する下腿前側部１０が設けられることにより、膝関節の伸展がさらに強力にサポートされるようになる。なお下腿前側部１０は、後述する下腿外側部８と下腿内側部９と区別するために、下腿部の後側に延在して下腿部を周方向に囲むようには設けられないものとする。
【００３７】
第４実施態様に係るスパッツについて、図４を参照して説明する。図４（ａ）は第４実施態様に係るスパッツの正面図を表し、図４（ｂ）は図４（ａ）に示したスパッツの背面図を表す。なお、第４実施態様に係るスパッツについて、上記説明と重複する部分の説明は省略する。
【００３８】
図４に示したスパッツ１（１Ｄ）は、着用者の腰から膝下までを覆うものである。スパッツ１Ｄでは、強パワー部３が、大腿外側部４と大腿内側部５と臀部接続部６と膝覆部７に加え、膝蓋骨２８の下方から下腿部の外側を通って腓腹筋３０に至る下腿外側部８と、膝蓋骨２８の下方から下腿部の内側を通って腓腹筋３０に至る下腿内側部９とを有している。そして、下腿外側部８と下腿内側部９が膝蓋骨２８の下方で膝覆部７に接続し、下腿外側部８と下腿内側部９が腓腹筋３０で互いに接続している。すなわち、下腿外側部８と下腿内側部９は下腿部を周方向に囲むように設けられている。強パワー部３として下腿外側部８と下腿内側部９がこのように設けられることにより、膝覆部７が下腿外側部８と下腿内側部９に係止されるかたちとなり、膝覆部７や大腿外側部４や大腿内側部５が股関節や膝関節の屈曲や伸展によってずれにくくなる。その結果、膝覆部７によって膝関節の伸展がさらに好適にサポートされるようになるとともに、大腿外側部４と大腿内側部５によって股関節の伸展もさらに好適にサポートされるようになる。
【００３９】
第５実施態様と第６実施態様に係るスパッツについて、図５および図６を参照して説明する。図５（ａ）は第５実施態様に係るスパッツの正面図を表し、図５（ｂ）は図５（ａ）に示したスパッツの側面図を表し、図５（ｃ）は図５（ａ）に示したスパッツの背面図を表す。図６（ａ）は第６実施態様に係るスパッツの正面図を表し、図６（ｂ）は図６（ａ）に示したスパッツの側面図を表し、図６（ｃ）は図６（ａ）に示したスパッツの背面図を表す。なお、第５実施態様および第６実施態様に係るスパッツについて、上記説明と重複する部分の説明は省略する。
【００４０】
図５に示したスパッツ１（１Ｅ）と図６に示したスパッツ１（１Ｆ）は、着用者の腰から足首までを覆うものである。スパッツ１Ｅ，１Ｆでは、図４に示したスパッツ１Ｄと同様に、強パワー部３として下腿外側部８と下腿内側部９が設けられている。ただし、スパッツ１Ｄでは下腿外側部８と下腿内側部９が腓腹筋３０の筋腹上部で互いに接続しているのに対し、スパッツ１Ｅでは下腿外側部８と下腿内側部９が腓腹筋３０の筋腹下部（筋腹の下半分）で互いに接続し、スパッツ１Ｆでは下腿外側部８と下腿内側部９が腓腹筋３０の踵骨腱で互いに接続している。
【００４１】
下腿外側部８と下腿内側部９は、スパッツ１Ｅ，１Ｆのように、腓腹筋３０の筋腹下部やそれより下方（例えば、踵骨腱）で互いに接続していることが好ましい。このように下腿外側部８と下腿内側部９が設けられていれば、身体の側面から見て、強パワー部３が膝を挟んで前方に膨らんだ弓状に設けられることとなり、強パワー部３によって膝関節の伸展がさらに強力にサポートされるようになる。より好ましくは、スパッツ１Ｅのように下腿外側部８と下腿内側部９が腓腹筋３０の筋腹下部で互いに接続される。このように下腿外側部８と下腿内側部９が設けられれば、強パワー部３によって股関節の伸展が特に強力にサポートされるようになる。この場合、ベース部２は、大腿二頭筋２６の筋腹下部（筋腹の下半分）および／または半腱様筋２６の筋腹下部（筋腹の下半分）から膝裏２９を通って腓腹筋３０の筋腹上部にかけて存在していることが好ましい。
【００４２】
下腿外側部８と下腿内側部９は、スパッツ１Ｅ，１Ｆのように、下腿部の外側または内側を下腿部の前側から後側に下方に向かって延びるように設けられることが好ましい。このように下腿外側部８と下腿内側部９が設けられることにより、下腿外側部８と下腿内側部９によって膝関節が好適にサポートされるようになる。
【００４３】
第７実施態様に係るスパッツについて、図７を参照して説明する。図７（ａ）は第７実施態様に係るスパッツの正面図を表し、図７（ｂ）は図７（ａ）に示したスパッツの側面図を表し、図７（ｃ）は図７（ａ）に示したスパッツの背面図を表す。なお、第７実施態様に係るスパッツについて、上記説明と重複する部分の説明は省略する。
【００４４】
図７に示したスパッツ１（１Ｇ）は、図３に示したスパッツ１Ｃと図５に示したスパッツ１Ｅとを組み合わせたものである。すなわち、スパッツ１Ｇでは、強パワー部３として、大腿外側部４と大腿内側部５と臀部接続部６と膝覆部７に加え、膝蓋骨２８の下方から下腿部の前側を脛骨３１に沿って延びる下腿前側部１０と、膝蓋骨２８の下方から下腿部の外側を通って腓腹筋３０に至る下腿外側部８と、膝蓋骨２８の下方から下腿部の内側を通って腓腹筋３０に至る下腿内側部９が設けられている。そして、下腿外側部８と下腿内側部９が腓腹筋３０の筋腹下部で互いに接続している。このように強パワー部３が設けられていれば、下腿前側部１０が下腿外側部８と下腿内側部９によって係止されるかたちとなり、下腿前側部１０による膝関節のサポート効果が高められるとともに、下腿外側部８と下腿内側部９によっても膝関節がサポートされるようになる。従って、膝関節の伸展がさらに強力にサポートされるようになる。
【００４５】
第８実施態様に係るスパッツについて、図８を参照して説明する。図８（ａ）は第８実施態様に係るスパッツの正面図を表し、図８（ｂ）は図８（ａ）に示したスパッツの側面図を表し、図８（ｃ）は図８（ａ）に示したスパッツの背面図を表す。なお、第８実施態様に係るスパッツについて、上記説明と重複する部分の説明は省略する。
【００４６】
図８に示したスパッツ１（１Ｈ）では、強パワー部３が、大腿外側部４と大腿内側部５と臀部接続部６と膝覆部７と下腿外側部８と下腿内側部９に加え、腓腹筋３０から下腿部の外側を通って下腿部の前側の脛骨３１下部に至る足首外側部１１と、腓腹筋３０から下腿部の内側を通って前側の脛骨３１下部に至る足首内側部１２とを有している。そして、足首外側部１１が腓腹筋３０で下腿外側部８と接続し、足首内側部１２が腓腹筋３０で下腿内側部９と接続し、足首外側部１１と足首内側部１２が下腿部の前側の脛骨３１下部で互いに接続している。すなわち、足首外側部１１と足首内側部１２は下腿部を周方向に囲むように設けられている。強パワー部３として足首外側部１１と足首内側部１２がこのように設けられることにより、膝関節を屈曲させた際に膝覆部７や下腿外側部８や下腿内側部９が上方にずれにくくなり、膝覆部７によって膝関節の伸展がさらに好適にサポートされるようになる。さらに、大腿外側部４と大腿内側部５によって股関節の伸展が好適にサポートされるようになる。
【００４７】
第９実施態様と第１０実施態様に係るスパッツについて、図９および図１０を参照して説明する。図９（ａ）は第９実施態様に係るスパッツの正面図を表し、図９（ｂ）は図９（ａ）に示したスパッツの側面図を表し、図９（ｃ）は図９（ａ）に示したスパッツの背面図を表す。図１０（ａ）は第１０実施態様に係るスパッツの正面図を表し、図１０（ｂ）は図１０（ａ）に示したスパッツの側面図を表し、図１０（ｃ）は図１０（ａ）に示したスパッツの背面図を表す。なお、第９実施態様および第１０実施態様に係るスパッツについて、上記説明と重複する部分の説明は省略する。
【００４８】
図９に示したスパッツ１（１Ｊ）と図１０に示したスパッツ１（１Ｋ）は、各部の形状は若干変わるものの、臀部接続部６を除き基本的に図８に示したスパッツ１Ｈと同じように強パワー部３が設けられている。スパッツ１Ｊでは、臀部接続部６が設けられておらず、左右の脚の強パワー部３が分離して設けられている。このように強パワー部３として臀部接続部６が設けられなくてもよいが、大腿外側部４と大腿内側部５が股関節の屈曲や伸展によってずれにくくするためには、臀部接続部６が設けられることが好ましい。
【００４９】
スパッツ１Ｋでは、臀部接続部６が左右の脚で略Ｖ字状に設けられている。すなわち、臀部接続部６が、大臀筋２１から仙骨２７および／または腰椎２７に至る（つまり、大臀筋２１から上方かつ内方に延びる）内方臀部接続部と、大臀筋２１から腸骨陵に至る（つまり、大臀筋２１から上方かつ外方に延びる）外方臀部接続部から構成されている。この場合、大腿外側部４または大腿内側部５から臀部接続部６にかけて強パワー部３を設けることが容易になる。例えば、スパッツの基材に伸長応力の高い帯状部材を左右の臀部でクロスさせるように取り付けることにより、強パワー部３を大腿外側部４から臀部接続部６（内方臀部接続部）にかけてと大腿内側部５から臀部接続部６（外方臀部接続部）にかけて容易に形成することができるようになる。
【００５０】
次にベース部と強パワー部の構成材料について説明する。ベース部と強パワー部は、強パワー部がベース部よりも高い伸長応力を示す限り、これらの構成材料は特に限定されない。ベース部と強パワー部は伸縮性を有することが好ましく、同程度の長さを伸長させるのに、ベース部は相対的に弱い力を要し、強パワー部は相対的に強い力を要するものであることが好ましい。
【００５１】
伸長応力は、３０％伸長時の応力を測定することにより求める。具体的には、測定対象となる試験片を引張試験機で引っ張り、その際の応力を測定することにより求める。この際、１インチの幅で切り出した試験片を、つかみ間隔が１００ｍｍとなるように留め具間に固定する。そして、試験片を引張速度２００ｍｍ／分で引っ張りながら、留め具間の距離が１３０ｍｍになったときの応力を測定し、このときの値を伸長応力とする。
【００５２】
ベース部の伸長応力（３０％伸長時の応力）の値としては、例えば、０．３Ｎ〜２．０Ｎ程度であることが好ましく、強パワー部の伸長応力（３０％伸長時の応力）の値としては、例えば、１．０Ｎ〜６．０Ｎ程度であることが好ましい。これらの値は、着用者の年齢や性別、体力等を考慮して適宜定めればよい。
【００５３】
ベース部と強パワー部を設ける方法としては、（１）ベース部と強パワー部を伸長応力が互いに異なる材料で構成し、それらの材料を繋ぎ合わせてベース部と強パワー部を形成する方法、（２）ベース部と強パワー部をそれぞれ織布または編布で構成し、織布の織組織や織密度を変えたり、編布の編組織や編密度を変えたり、織布または編布を構成する糸の種類（例えば、弾性糸の使用の有無）や太さ等を変えることにより、伸長応力の差を出してベース部と強パワー部を形成する方法、（３）スパッツの基材に伸長応力の高いシート部材を部分的に取り付けて、当該シート部材を取り付けた部分を強パワー部、それ以外の部分をベース部とする方法、（４）スパッツの基材にエラストマー材料を塗布して、エラストマー材料を塗布した部分を強パワー部、それ以外の部分をベース部とする方法等が挙げられる。
【００５４】
前記（１）の方法でベース部と強パワー部を構成する材料や、前記（３）の方法や前記（４）の方法で用いられる基材としては、織布、編布、エラストマー（例えば、天然ゴム、合成ゴム、ポリウレタン等の合成樹脂）から構成されるシート部材等が挙げられる。前記（３）の方法で用いられる伸長応力の高いシート部材の材料や、前記（４）の方法で用いられるエラストマー材料としては、天然ゴム；スチレン−ブタジエン共重合体、ポリイソブチレン等の合成ゴム；ポリウレタン、ポリエーテル・ポリエステル、ポリブチレンテレフタレート、ポリトリメチレンテレフタレート等の合成樹脂等が挙げられる。また、前記（３）の方法で用いられる伸長応力の高いシート部材として、伸縮性を有する織布や編布、不織布等を用いてもよい。
【００５５】
本発明のスパッツは、強パワー部の肌面側に滑り止め材が設けられることが好ましい。滑り止め材は、股関節や膝関節を屈曲させたり伸展させた際に、強パワー部がずれにくくなるように設けられることが好ましい。
【００５６】
例えば、図１に示したような膝上までのスパッツ１Ａの場合や、強パワー部３として膝覆部７より下の部分が設けられない場合（すなわち、強パワー部３の下端が大腿外側部４や大腿内側部５である場合）は、膝蓋骨２８の上方の強パワー部３の肌面側に滑り止め材が設けられることが好ましい。膝蓋骨２８の上方に滑り止め材が設けられれば、股関節の屈曲や伸展によって大腿外側部４や大腿内側部５がずれにくくなる。また、図１に示したような膝上までのスパッツ１Ａの場合は、膝蓋骨２８の上方に、スパッツの裾の全周に沿って滑り止め材が設けられることも好ましい。
【００５７】
膝蓋骨２８の下方に延在するスパッツ（すなわち、膝下までや足首までのスパッツ等）では、膝蓋骨２８の下方の強パワー部３の肌面側に滑り止め材が設けられることが好ましい。膝蓋骨２８の下方に滑り止め材が設けられれば、股関節や膝関節の屈曲や伸展によって大腿外側部４や大腿内側部５や膝覆部７がずれにくくなる。従って、強パワー部３によって股関節や膝関節が好適にサポートされるようになる。また、図２や図４に示したような膝下までのスパッツ１Ｂ、１Ｄの場合は、膝蓋骨２８の下方に、スパッツの裾の全周に沿って滑り止め材が設けられることも好ましい。
【００５８】
強パワー部３として下腿外側部８や下腿内側部９が設けられるようなスパッツでは、腓腹筋３０の強パワー部３の肌面側に滑り止め材が設けられることが好ましい。腓腹筋３０に滑り止め材が設けられれば、膝関節の屈曲や伸展によって膝覆部７や下腿外側部８や下腿内側部９がずれにくくなる。従って、強パワー部３によって膝関節が好適にサポートされるようになる。
【００５９】
図１１には、図８に示したスパッツ１Ｈに滑り止め材が設けられる例を示した。図１１（ａ）は滑り止め材が設けられた第８実施態様に係るスパッツの正面図を表し、図１１（ｂ）は図１１（ａ）に示したスパッツの側面図を表し、図１１（ｃ）は図１１（ａ）に示したスパッツの背面図を表す。
【００６０】
図１１に示したスパッツ１（１Ｌ）では、膝蓋骨２８の下方の強パワー部３の肌面側に滑り止め材１３と、腓腹筋３０の強パワー部３の肌面側に滑り止め材１４が設けられている。なお、滑り止め材１３，１４はスパッツの外側から直接は見えるものではないが、図１１では理解を容易にするために滑り止め材１３，１４を実線で視認可能なように表記している。滑り止め材１３，１４が設けられたスパッツ１Ｌでは、股関節や膝関節を屈曲させたり伸展させても、滑り止め材１３，１４によって強パワー部３がずれにくくなる。
【００６１】
滑り止め材としては、天然ゴム、シリコーン、ポリウレタン等の従来公知の弾性体を用いればよい。しかし、より高い滑り止め効果を持たせるためには、滑り止め材として、繊維径が１μｍ以下のナノ繊維を含む糸（以下、「ナノ繊維糸」と称する場合がある）から構成された織布、編布、または不織布を用いることが好ましい。ナノ繊維糸から構成された滑り止め材は、繊維の比表面積が大きくなるとともに、多数の繊維間隙が存在するようになる。そのため、ナノ繊維糸から構成された滑り止め材は、肌に対し高い吸着性を有するようになり、滑り止め効果に優れるものとなる。
【００６２】
さらに滑り止め材としては、繊維径が１μｍ以下のナノ繊維糸から構成された織布を用いることがより好ましい。ナノ繊維糸から構成された織布を滑り止め材として用いることにより、１本１本のナノ繊維が切れにくくなってナノ繊維が長繊維として存在しやすくなるとともに、ナノ繊維の繊維間隙が良好に形成され、滑り止め材の滑り止め効果が高められる。
【実施例】
【００６３】
以下に、実施例を示すことにより本発明を更に詳細に説明するが、本発明の範囲はこれらに限定されるものではない。
【００６４】
実施例１
本発明のスパッツとして第８実施態様に係るスパッツを用意し、比較対象として強パワー部が設けられないスパッツを用意した。６人の被験者にいずれかのスパッツを着用してもらい、５ｋｍのランニングのタイムトライアルを行った。それぞれの被験者の走行状態を高速ビデオカメラで測定し、最高速度時と最低速度時におけるそれぞれの被験者の動作解析を行った。
【００６５】
本発明のスパッツを着用した場合、最高速度時と最低速度時での走速度の平均変化率が−８．３％であったのに対し、比較対象のスパッツを着用した場合、最高速度時と最低速度時での走速度の平均変化率が−１１．２％であった。本発明のスパッツを着用することにより、走速度の低下が軽減され、走行時のパフォーマンスを向上させることができ、疲労によるパフォーマンス低下を軽減させることができた。
【００６６】
実施例２
本発明のスパッツとして第８実施態様に係るスパッツを用意し、比較対象として強パワー部が設けられないスパッツを用意した。９人の被験者に本発明のスパッツを着用してもらい、他の９人の被験者に比較対象のスパッツを着用してもらい、１０ｋｍのランニングのタイムトライアルを行った。それぞれの被験者の走行状態を約１ｋｍごとに高速ビデオカメラで測定し、最高速度時と最低速度時におけるそれぞれの被験者の動作解析を行い、最高速度時と最低速度時における走速度変化率、空中期移動距離（ストライド）変化率を算出した。また、地面を蹴る力の指標として、大腿の鉛直軸に対する角加速度の接地期伸展方向最大値を、接地後の膝伸展力（沈み込みを抑える力）の指標として、膝関節角加速度の接地期伸展方向最大値を、最高速度時と最低速度時でそれぞれ求め、その変化率を算出した。
【００６７】
本発明のスパッツを着用した被験者では、走速度変化率が−９．６％、空中期移動距離（ストライド）変化率が−１１．７％、大腿の鉛直軸に対する角加速度の接地期伸展方向最大値の変化率が−７．２％、膝関節角加速度の接地期伸展方向最大値の変化率が−４．６％となった。一方、比較対象のスパッツを着用した被験者では、走速度変化率が−１０．１％、空中期移動距離（ストライド）変化率が−１４．９％、大腿の鉛直軸に対する角加速度の接地期伸展方向最大値の変化率が−１３．７％、膝関節角加速度の接地期伸展方向最大値の変化率が−１６．４％となった。本発明のスパッツを着用することにより、走速度の低下が軽減されるとともに、地面を蹴る力の低下が軽減されて、ストライドの低下が軽減した。また、接地直後の衝撃も緩和された。
【符号の説明】
【００６８】
１：  スパッツ
２：  ベース部
３：  強パワー部
４：  大腿外側部
５：  大腿内側部
６：  臀部接続部
７：  膝覆部
８：  下腿外側部
９：  下腿内側部
１０：  下腿前側部
１１：  足首外側部
１２：  足首内側部
１３，１４  滑り止め材
２１：  大臀筋
２２：  外側広筋
２３：  内側広筋
２４：  大腿直筋
２５：  大腿四頭筋腱
２６：  大腿二頭筋および／または半腱様筋
２７：  仙骨および／または腰椎
２８：  膝蓋骨
２９：  膝裏
３０：  腓腹筋
３１：  脛骨
【図１２】
0005278979.tif 000002
【図１】
0005278979.tif 000003
【図２】
0005278979.tif 000004
【図３】
0005278979.tif 000005
【図４】
0005278979.tif 000006
【図５】
0005278979.tif 000007
【図６】
0005278979.tif 000008
【図７】
0005278979.tif 000009
【図８】
0005278979.tif 000010
【図９】
0005278979.tif 000011
【図１０】
0005278979.tif 000012
【図１１】
0005278979.tif 000013